(57)【要約】【課題】印刷装置に力が加わった場合でも、確実に印刷装置を保持することのできる充電装置および充電システムを提供する。【解決手段】印刷装置１０を充電用収納部２４に装填するときに、印刷装置１０を案内するガイド部３１と、ガイド部３１により案内された印刷装置１０を充電用収納部２４に固定するフック部材２７と、を備える。【選択図】図１
2016028879.tif 000002
【特許請求の範囲】
【請求項１】
印刷装置を収納部に装填するときに、前記印刷装置を案内するガイド部と、前記ガイド部により案内された前記印刷装置を前記収納部に固定するフック部材と、を備えることを特徴とする充電装置。
【請求項２】
前記フック部材は、前記印刷装置において印刷された印刷物を排出する印刷物排出口から当該印刷物が引っ張られた際に、前記印刷装置が第１の方向に移動することを妨げることを特徴とする請求項１に記載の充電装置。
【請求項３】
前記フック部材は、前記収納部において第２の方向に分散して配置されることを特徴とする請求項１または請求項２に記載の充電装置。
【請求項４】
前記第１の方向は、前記第２の方向と異なる方向であることを特徴とする請求項１から請求項３のいずれか一項に記載の充電装置。
【請求項５】
前記収納部の前記印刷装置の装填面は、前記収納部の底面に対して傾斜していることを特徴とする請求項１から請求項４のいずれか一項に記載の充電装置。
【請求項６】
前記フック部材は、前記印刷装置を前記収納部に装填する際または取り外す際に、前記印刷装置に当接されるフック部を備え、前記フック部は、傾斜面を備えていることを特徴とする請求項１から請求項５のいずれかに記載の充電装置。
【請求項７】
前記フック部は、その上面および下面にそれぞれ前記傾斜面を備え、前記充電装置は、前記印刷装置との固定を解除する方向に前記印刷装置を押し上げる解除部材を備え、
前記解除部材は、前記フック部と前記印刷装置との固定を解除する際に、前記フック部の前記各傾斜面で形成される頂点まで前記印刷装置を押し上げることを特徴とする請求項６に記載の充電装置。
【請求項８】
前記印刷装置は、前記解除部材を押し上げ動作させる解除操作板を備え、前記解除部材は、前記フック部より前記解除操作板寄りに配置されていることを特徴とする請求項７に記載の充電装置。
【請求項９】
印刷物排出口を備えた印刷装置を充電するための充電システムであって、
前記印刷装置を収納部に装填するときに、前記印刷装置を案内するガイド部と、前記ガイド部により案内された前記印刷装置を前記収納部に固定するフック部材と、を備えることを特徴とする充電システム。
【請求項１０】
前記フック部材は、前記印刷装置の前記印刷物排出口を挟んで配置されていることを特徴とする請求項９に記載の充電システム。
【発明の詳細な説明】
【技術分野】
【０００１】
本発明は充電装置および充電システムに関する。
【背景技術】
【０００２】
近年、携帯端末や小型印刷装置などのような小型携帯電子機器をクレードルと呼ばれる充電装置に収容して、このような電子機器の充電を行うようにしていた。
このような電子機器の充電を行うクレードルとして、従来、例えば、電子機器の一部を保持するラッチ部材と、電子機器と電気的に接続可能な充電電極ピンと、電子機器と電気的に接続可能な通信電極ピンと、を備えた技術がある（例えば、特許文献１参照）。
【先行技術文献】
【特許文献】
【０００３】
【特許文献１】特開２０１４−０２７７３１号公報
【発明の概要】
【発明が解決しようとする課題】
【０００４】
しかしながら、特許文献１に記載のクレードルに、電子機器が自重にて置かれるだけの構造である。そのため、例えば、携帯型の印刷装置を装填した場合、クレードルに載置した状態で印刷装置を使用して、印刷された用紙を引っ張ると印刷装置がクレードルから外れてしまうという問題を有している。
本発明は、前記した点に鑑みてなされたものであり、印刷装置に力が加わった場合でも、確実に印刷装置を保持することのできる充電装置および充電システムを提供することを目的とするものである。
【課題を解決するための手段】
【０００５】
前記目的を達成するために、本発明に係る充電装置は、印刷装置を収納部に装填するときに、前記印刷装置を案内するガイド部と、前記ガイド部により案内された前記印刷装置を前記収納部に固定するフック部材と、を備えることを特徴とする。
本発明によれば、印刷装置をガイド部により案内させるとともに、フック部材により印刷装置を収納部に固定するようにしているので、印刷装置を確実に装填することができ、印刷装置を確実に保持することができる。
【０００６】
また、前記発明において、前記フック部材は、前記印刷装置において印刷された印刷物を排出する印刷物排出口から当該印刷物が引っ張られた際に、前記印刷装置が第１の方向に移動することを妨げることを特徴とする。
本発明によれば、フック部材により、印刷物排出口から印刷物が引っ張られた際に、印刷装置が第１の方向に移動することを妨げるようにしているので、印刷装置に加わる引っ張り力を、フック部により受けることができ、その結果、印刷装置を確実に保持することができる。
【０００７】
また、前記発明において、前記フック部材は、前記収納部において第２の方向に分散して配置されることを特徴とする。
本発明によれば、フック部材を収納部において第２の方向に分散して配置するようにしているので、印刷装置に加わる引っ張り力を、フック部により分散して受けることができる。その結果、印刷装置の局部に大きな力が加わってしまうことがなく、印刷装置を確実に保持することができる。
【０００８】
また、前記発明において、前記第１の方向は、前記第２の方向と異なる方向であることを特徴とする。
本発明によれば、第１の方向を第２の方向と異なる方向とすることにより、印刷装置をガイド部により適正に案内することができるとともに、第２の方向に分散して配置されたフック部材により、印刷装置を保持することができる。
【０００９】
また、前記発明において、前記収納部の前記印刷装置の装填面は、前記収納部の底面に対して傾斜していることを特徴とする。
本発明によれば、収納部の装填面を傾斜するようにしているので、充電しながら印刷装置を使用する場合に、使いやすい。
【００１０】
また、前記発明において、前記フック部材は、前記印刷装置を前記収納部に装填する際または取り外す際に、前記印刷装置に当接されるフック部を備え、前記フック部は、傾斜面を備えていることを特徴とする。
本発明によれば、フック部に傾斜面を設けるようにしているので、印刷装置を収納部から取り外す際に、フック部を印刷装置との固定を解除する方向に動作させることができ、印刷装置の着脱を容易に行うことができる。
【００１１】
また、前記発明において、前記フック部は、その上面および下面にそれぞれ前記傾斜面を備え、前記充電装置は、前記印刷装置との固定を解除する方向に前記印刷装置を押し上げる解除部材を備え、前記解除部材は、前記フック部と前記印刷装置との固定を解除する際に、前記フック部の前記各傾斜面で形成される頂点まで前記印刷装置を押し上げることを特徴とする。
本発明によれば、解除部材の上面がフック部の頂点まで印刷装置を押し上げるので、印刷装置が収納部から飛び出してしまうことを防止することができる。
【００１２】
また、前記発明において、前記印刷装置は、前記解除部材を押し上げ動作させる解除操作板を備え、前記解除部材は、前記フック部より前記解除操作板寄りに配置されていることを特徴とする
本発明によれば、解除部材がフック部より解除操作板寄りに配置されているので、印刷装置を適度な力で持ち上げることができ、印刷装置が収納部から飛び出してしまうことを防止することができる。
【００１３】
また、本発明に係る充電システムは、印刷物排出口を備えた印刷装置を充電するための充電システムであって、前記印刷装置を収納部に装填するときに、前記印刷装置を案内するガイド部と、前記ガイド部により案内された前記印刷装置を前記収納部に固定するフック部材と、を備えることを特徴とする。
本発明によれば、印刷装置をガイド部により案内させるとともに、フック部材により印刷装置を収納部に固定するようにしているので、印刷装置を確実に装填することができ、印刷装置を確実に保持することができる。
【００１４】
また、前記発明において、前記フック部材は、前記印刷装置の前記印刷物排出口を挟んで配置されていることを特徴とする。
本発明によれば、フック部を印刷装置の印刷物排出口を挟んで配置するようにしているので、印刷後の用紙を切断するために引っ張る際の引っ張り力を各フック部により受けることができる。そのため、フック部により印刷装置に対する引っ張り力を分散して受けることができ、印刷装置の局部に大きな力が加わってしまうことがない。その結果、印刷装置を確実に保持することができる。
【図面の簡単な説明】
【００１５】
【図１】本発明に係る充電システムの第１実施形態を示す外観斜視図である。
【図２】印刷装置を取り外した状態を示す外観斜視図である。
【図３】印刷装置の裏面を示す外観斜視図である。
【図４】充電装置の内部構造を示す外観斜視図である。
【図５】充電装置の縦断面図である。
【図６】充電装置のフック部が外れた状態を示す縦断面図である。
【図７】充電装置のフック部が印刷装置の側面を乗り越えた状態を示す縦断面図である。
【図８】充電装置のフック部が係合した状態を示す縦断面図である。
【図９】本発明に係る充電システムの第２実施形態を示す外観斜視図である。
【図１０】充電アダプターを取り外した状態を示す外観斜視図である。
【図１１】バッテリーを示す外観斜視図である。
【発明を実施するための形態】
【００１６】
以下、図面を参照して本発明の実施形態について説明する。
図１は、本実施形態に係る充電装置および携帯型の印刷装置を示す斜視図である。また、図３は印刷装置の裏面の構成を示す背面図である。
印刷装置１０は、ケース本体１１を備えており、ケース本体１１の内部には、印刷媒体としての感熱ロール紙（図示せず）が収容されている。また、ケース本体１１の内部には、例えば、ラインサーマルヘッドなどの印刷部材（図示せず）が収容されており、この印刷部材により感熱ロール紙に熱を与えて文字や画像を印刷するように構成されている。印刷後の感熱ロール紙は、ケース本体１１の表面に設けられた印刷物排出口１２から外部に排出され、図示しないカッター部材により、所望の箇所で切断することができるように構成されている。ケース本体１１の表面には、電源投入用のパワーボタン１３ａおよび感熱ロール紙を送り出すためのフィードボタン１３ｂが設けられている。そして、無線もしくはＵＳＢケーブルなどの通信ケーブルを経由して印刷データが送られた場合に、印刷装置１０の印刷動作が開始されるように構成されている。
【００１７】
印刷装置１０はバッテリー１６を電源として動作する携帯型の印刷装置である。印刷装置１０の背面には、図３に示すようにベルトクリップ１８が設けられ、ベルトクリップ１８を操作者の衣服に固定し、操作者が印刷装置１０を携帯して使用できるようになっている。バッテリー１６はケース本体１１の背面に着脱可能に設けられる。また、図３に示す使用状態では、ベルトクリップ１８がバッテリー１６の外側に重なる位置にあり、バッテリー１６の意図しない脱落を防止する。
【００１８】
また、ケース本体１１の両側面には、充電装置２０に装填するための、フック用係合部１４，１４…がそれぞれ形成されている。これらフック用係合部１４のうち、ケース本体１１の基端側（図２において下方側）のフック用係合部１４の近傍には、ガイド受け１５が形成されている。ケース本体１１の一端部には、充電装置２０の電極端子２１に接触してバッテリー１６の充電を行う充電用端子１７が外部に露出するように設けられている。
【００１９】
次に、充電装置２０について、図１、図２、図４、図５、図６、図７および図８を参照して説明する。
充電装置２０は、フレーム２２およびこのフレーム２２をカバー部材２３で被覆して構成されており、このカバー部材２３の上面中央部には、印刷装置１０を装填するためカバー部材２３の上面を凹ませてなる収納部としての充電用収納部２４が設けられている。充電用収納部２４の装填面は、充電装置２０の底面に対して基端側が低く、先端側が高くなるように傾斜して形成されている。充電用収納部２４は、先端部が開放されており、印刷装置１０を充電用収納部２４の装填面、両側面および基端面により支持するように構成されている。充電用収納部２４の中央部分には、充電用収納部２４の装填面よりさらに低く形成された凹部２５が形成されている。このように凹部２５を形成することにより、例えば、図３に示すように、ベルトクリップ１８が装着されている状態の印刷装置１０でも、充電用収納部２４の装填面に装填することができるように構成されている。
【００２０】
さらに、カバー部材２３の充電用収納部２４の両側面には、それぞれ２つのフック用開口２６が設けられている。フレーム２２の両側には、印刷装置１０のフック用係合部１４に係合されるフック部材２７が一側に２つずつ設けられている。フレーム２２の同じ側に設けられた各フック部材２７は、第２の方向である充電用収納部２４の側辺に沿った方向に沿って分散して配置されている。すなわち、図２に示すように、第２の方向は、充電用収納部２４の側辺に沿った方向である。各フック部材２７を充電用収納部２４の側辺に沿って分散して配置することにより、印刷装置１０の両側部の離れた位置にフック部材２７が配置されることになる。その結果、印刷装置１０のフック用係合部１４にフック部材２７を係合させることにより、印刷装置１０の両端部分を確実に保持することが可能となる。
フレーム２２の同じ側に設けられた各フック部材２７は、互いに近接する側の基端部を支持ピン２８により支持するように構成されており、これにより、各フック部材２７は、支持ピン２８を中心として揺動自在に構成されている。フック部材２７は、カバー部材２３の内面との間に配設される図示しないばねにより、フック部材２７を常に充電用収納部２４の内側に向けて付勢するように構成されている。
【００２１】
フック部材２７の先端部は、それぞれ充電用収納部２４の内側に指向するようにほぼ直角に曲折されており、フック部材２７の先端部には、上下が傾斜面とされた断面形状三角形状を有するフック部３０が形成されている。このフック部３０は、カバー部材２３のフック用開口２６から突出するように構成されている。これにより、フック部３０に対して、上方または下方から傾斜面に対して力が加わった場合に、フック部材２７がばねの付勢力に抗して充電用収納部２４の外側に揺動動作されるように構成されている。また、本実施形態においては、各フック部３０は、充電用収納部２４に印刷装置１０を装填した場合に、印刷装置１０の印刷物排出口１２を挟んだ前後位置に配置されるように構成されている。
【００２２】
また、カバー部材２３の基端側におけるフック部３０の近傍には、印刷装置１０のガイド受け１５に挿入されるガイド部３１が立設されている。そして、印刷装置１０のガイド受け１５をガイド部３１に挿入させながら、印刷装置１０を充電用収納部２４に装填することにより、印刷装置１０を第１の方向である装填面に対して垂直方向に案内するように構成されている。すなわち、図２に示すように、第１の方向は、印刷装置１０を装填する充電用収納部２４の装填面に対して垂直方向な方向である。この第１の方向に印刷装置１０を案内することにより、後述する電極端子２１の各端子部３７に対して垂直方向から印刷装置１０を装填することが可能となる。その結果、電極端子２１の各端子部３７を適正に押し込んで、印刷装置１０の充電用端子１７と確実に電気接続することが可能となる。
印刷装置１０を充電用収納部２４に装填する場合は、ガイド受け１５をガイド部３１に挿入させながら、印刷装置１０を充電用収納部２４に装填することにより、印刷装置１０のフック用係合部１４によりフック部３０の上方の傾斜面を押圧することになる。これにより、フック部材２７がばねの付勢力に抗して揺動され、印刷装置１０が完全に充電用収納部２４に装填されると、フック部材２７がばねの付勢力により元の位置に戻される。この状態で、フック部３０がフック用係合部１４に係合して、印刷装置１０を固定することができるように構成されている。
【００２３】
また、充電用収納部２４の装填面の基端側には、２つの解除用開口３２が形成されている。カバー部材２３の基端側中央部には、解除操作板３３が設けられている。解除操作板３３には、支持軸３４が一体に設けられており、この支持軸３４の両端部には、解除部材３５が一体に設けられている。そして、解除操作板３３を下方に押動操作することにより、支持軸３４を中心として解除部材３５が上方に移動し、解除部材３５の上端部分が解除用開口３２から上方に突出するように構成されている。すなわち、印刷装置１０を充電用収納部２４に装填した状態で、解除操作板３３を下方に押動動作させることにより、解除部材３５により印刷装置１０の背面を上方に押し上げるように構成されている。そして、印刷装置１０が上方に押し上げられると、フック部材２７のフック部３０の下方の傾斜面に押圧力が加わり、フック部材２７がばねの付勢力に抗して外側に揺動される。これにより、フック部３０とフック用係合部１４との係合が解除されて印刷装置１０を取り外すことができるように構成されている。
【００２４】
この場合に、本実施形態においては、解除部材３５は、解除部材３５に最も近いフック部３０より解除操作板３３寄りに配置されている。
また、解除操作板３３を操作して解除部材３５により印刷装置１０の背面を上方に押し上げる場合に、解除部材３５は、その上端面がフック部３０の上下の傾斜面により形成される頂点３０ａに至る高さまで、上昇するように構成されている。
【００２５】
このように構成することにより、図８に示すフック部３０がフック用係合部１４と係合している状態から、解除部材３５により印刷装置１０の背面を、解除部材３５の上面がフック部３０の頂点３０ａに位置するまで押し上げる。これにより、図７に示すように、フック部３０の傾斜面の頂点３０ａがフック用係合部１４から印刷装置１０の側面を乗り上げた状態から、傾斜面の頂点３０ａがさらに印刷装置１０の背面側に至る位置まで持ち上げられることになる。
そして、図６に示すように、フック部材２７がばねの付勢力により元の位置に戻ろうとするため、フック部３０の上側の傾斜面により、印刷装置１０がフック部３０の上方に移動される。これにより、印刷装置１０を取り外すことができる。
【００２６】
このとき、本実施形態においては、解除部材３５がフック部３０より解除操作板３３寄りに配置されているので、印刷装置１０を適度な力で持ち上げることができる。また、解除部材３５の上面がフック部３０の頂点３０ａに位置するまで印刷装置１０を押し上げるので、印刷装置１０が充電用収納部２４から飛び出してしまうことを防止することが可能となる。
【００２７】
さらに、フレーム２２の上面中央部分には、回路基板３６が設けられており、フレーム２２の上面基端側中央部分には、複数の端子部３７が並列配置された電極端子２１が設けられている。回路基板３６と電極端子２１とは、電気的に接続されており、回路基板３６には、図示しない電源からの電線が接続される電源部３８および電極端子２１に電源部からの電力を送るために必要な所定の電気・電子部品（図示せず）が搭載されている。また、電極端子２１の各端子部３７は、ばね性を有しており、各端子部３７に上方から押圧力が加わった場合に、各端子部３７は下方に押し込まれる構造となっている。すなわち、印刷装置１０を充電用収納部２４に装填する場合に、印刷装置１０のガイド受け１５をガイド部３１に沿わせることにより、印刷装置１０の充電用端子１７を、電極端子２１の各端子部３７を上方から押圧することができるように案内できるものである。これにより、各端子部３７は下方に押し込まれるとともに、そのばね性により、充電用端子１７に密接させて確実に電極端子２１と充電用端子１７とを接続するように構成されている。
【００２８】
次に、本実施形態の作用について説明する。
本実施形態においては、まず、充電装置２０に印刷装置１０を装着する場合は、印刷装置１０のガイド受け１５をガイド部３１に挿入させながら、印刷装置１０を充電用収納部２４に装填する。これにより、印刷装置１０が第１の方向である装填面に対して垂直方向に案内される。
この場合に、図６に示す状態から印刷装置１０のフック用係合部１４によりフック部３０の上方の傾斜面を押圧することにより、フック部材２７がばねの付勢力に抗して揺動される。これにより、図７に示すように、フック部３０の頂点３０ａが印刷装置１０の背面からフック用係合部１４に至る側面を乗り上げる。さらに、印刷装置１０を挿入すると、図８に示すように、印刷装置１０が完全に充電用収納部２４に装填され、フック部材２７がばねの付勢力により元の位置に戻される。
この状態で、フック部３０がフック用係合部１４に係合して、印刷装置１０を固定する。一方、印刷装置１０のガイド受け１５をガイド部３１に沿わせることにより、印刷装置１０の充電用端子１７を、電極端子２１の各端子部３７を上方から押圧するように案内する。これにより、各端子部３７は下方に押し込まれるとともに、そのばね性により、充電用端子１７に密接させて確実に電極端子２１と充電用端子１７とを接続することができる。
【００２９】
このように印刷装置１０が充電用収納部２４に装填された状態で、電極端子２１および充電用端子１７を介して、バッテリー１６の充電が行われる。この場合において、本実施形態においては、印刷装置１０を充電用収納部２４に装填した状態で、印刷装置１０を使用することも可能である。印刷装置１０を使用する場合は、電源投入用のパワーボタン１３ａを操作して印刷装置１０の電源を入れる。この状態で、無線もしくは通信ケーブルを経由して印刷データが送られた場合に、印刷が開始される。そして、印刷部材により感熱ロール紙に印刷し、感熱ロール紙が印刷物排出口１２から排出されたら、所望の位置でカッター部材により切断するようになっている。
ここで、本実施形態においては、各フック部３０を印刷装置１０の印刷物排出口１２を挟んだ前後位置に配置するようにしているので、印刷後の感熱ロール紙をカッター部材で切断するために引っ張る際の引っ張り力を各フック部３０により受けることができる。そのため、引っ張り力を印刷物排出口１２の前後位置に分散して配置するフック部３０により、引っ張り力を分散して受けることができ、印刷装置１０の局部に大きな力が加わってしまうことがない。
【００３０】
また、充電装置２０から印刷装置１０を取り外す場合は、図８に示す状態から印刷装置１０を充電用収納部２４に装填した状態で、解除操作板３３を下方に押動動作させると、解除部材３５が上方に移動して印刷装置１０の背面を上方に押し上げる。そして、印刷装置１０の背面を、解除部材３５の上面がフック部３０の頂点３０ａに位置するまで押し上げると、フック部材２７の下方の傾斜面に押圧力が加わり、フック部材２７がばねの付勢力に抗して外側に揺動される。これにより、図７に示すように、フック部材２７とフック用係合部１４との係合が解除され、フック部３０の傾斜面の頂点３０ａがフック用係合部１４を乗り上げ、傾斜面の頂点３０ａがさらに印刷装置１０の背面側に至る位置まで持ち上げられる。
そして、フック部材２７がばねの付勢力により元の位置に戻ろうとするため、フック部３０の上側の傾斜面により、印刷装置１０がフック部３０の上方に移動される。これにより、印刷装置１０を取り外すことができる。
【００３１】
以上説明したように、本実施形態によれば、各フック部３０を印刷装置１０の印刷物排出口１２を挟んだ前後位置に配置するようにしているので、印刷後の感熱ロール紙をカッター部材で切断の際に生じる引っ張り力を各フック部３０により受けることができる。そのため、フック部３０により印刷装置１０に対する引っ張り力を分散して受けることができ、印刷装置１０の局部に大きな力が加わってしまうことがない。その結果、印刷装置１０を確実に保持することができる。また、印刷装置１０のガイド受け１５をガイド部３１に沿わせることにより、印刷装置１０の充電用端子１７を、電極端子２１の各端子部３７を上方から押圧するように案内できるので、確実に電極端子２１と充電用端子１７とを接続することができる。
【００３２】
また、解除部材３５の上面がフック部３０の頂点に至る高さに位置するまで印刷装置１０を押し上げるので、印刷装置１０が充電用収納部２４から飛び出してしまうことを防止することができる。
さらに、解除部材３５がフック部３０より解除操作板３３寄りに配置されているので、印刷装置１０を適度な力で持ち上げることができ、印刷装置１０が充電用収納部２４から飛び出してしまうことを防止することができる。
【００３３】
次に、本発明の第２実施形態について、図９から図１１を参照して説明する。
本実施形態においては、充電装置２０により、バッテリー１６を充電するようにしたものである。すなわち、本実施形態においては、バッテリー１６を充電アダプター４０に装着し、この充電アダプター４０を充電装置２０に装填することにより、バッテリー１６の充電を行うようにしたものである。
【００３４】
充電アダプター４０には、平面形状ほぼ四角状の穴で構成されるバッテリー収容部４１が設けられている。バッテリー収容部４１には、バッテリー収容部４１の内形とほぼ同様の外形を有するバッテリー１６が装填されるようになっている。充電アダプター４０のバッテリー収容部４１の一側には、係合部４２が設けられている。図１１に示すように、バッテリー１６の一側であって係合部４２に対応する位置には、バッテリー１６の側面からわずかに凹んだ凹部４３が形成されている。凹部４３には、先端部に操作部４４が設けられるとともに、ばね性を有するばね部材４５が設けられている。
【００３５】
また、本実施形態においては、バッテリー１６のばね部材４５が形成された面と反対側の面には、２つの係合爪４６が突出形成されている。バッテリー収容部４１の内面には、係合爪４６に対応する位置に係合孔（図示せず）が形成されている。そして、係合爪４６をバッテリー収容部４１の係合孔に係合させながら、バッテリー１６を押し込み、ばね部材４５を係合部４２に係合させることにより、バッテリー１６を装填することができるように構成されている。この状態で、図示していないが、バッテリー１６の電極と充電アダプター４０の電極とが電気的に接続されるように構成されている。そして、操作部４４を操作して、ばね部材４５の付勢力に抗して操作部４４と係合部４２との係合を解除させることにより、バッテリー１６を取り外すことができるように構成されている。
【００３６】
充電アダプター４０は、充電装置２０に装填されるように構成されており、充電装置２０の構成は、前記第１実施形態と同様であるため、同一部分には同一符号を付してその説明を省略する。
充電アダプター４０の両側面には、充電装置２０に装着するための、フック用係合部４７がそれぞれ形成されている。これらフック用係合部４７のうち、充電アダプター４０の基端側（図において下方側）のフック用係合部４７の近傍には、ガイド受け４８が形成されている。充電アダプター４０の一端部下面側には、充電装置２０の電極端子２１に接触してバッテリー１６の充電を行う充電用端子（図示せず）が外部に露出するように設けられている。
【００３７】
そして、充電アダプター４０を充電用収納部２４に装填する場合は、ガイド受け４８をガイド部３１に挿入させながら、充電アダプター４０を充電用収納部２４に装填するものである。これにより、充電アダプター４０のフック用係合部４７によりフック部３０の上方の傾斜面を押圧することになる。この場合に、フック部材２７がばねの付勢力に抗して揺動され、充電アダプター４０が完全に充電用収納部２４に装填されると、フック部材２７がばねの付勢力により元の位置に戻される。この状態で、フック部３０がフック用係合部４７に係合して、充電アダプター４０を充電用収納部２４に固定することができるように構成されている。
【００３８】
次に、本実施形態の作用について説明する。
本実施形態においては、まず、バッテリー１６の係合爪４６をバッテリー収容部４１の係合孔に係合させながら、バッテリー１６を押し込み、ばね部材４５を係合板に係合させることにより、バッテリー１６を充電アダプター４０に装填する。
【００３９】
次に、充電装置２０に充電アダプター４０を装着する場合は、充電アダプター４０のガイド受け４８をガイド部３１に挿入させながら、充電アダプター４０を充電用収納部２４に装填することにより、充電アダプター４０を装填面に対して垂直方向に案内する。これにより、充電アダプター４０のフック用係合部４７によりフック部３０の上方の傾斜面を押圧して、フック部材２７がばねの付勢力に抗して揺動される。充電アダプター４０が完全に充電用収納部２４に装填されると、フック部材２７がばねの付勢力により元の位置に戻される。この状態で、フック部３０がフック用係合部４７に係合して、充電アダプター４０を固定する。一方、充電アダプター４０のガイド受け４８をガイド部３１に沿わせることにより、充電アダプター４０の充電用端子を、電極端子２１の各端子部３７を上方から押圧するように案内する。これにより、各端子部３７は下方に押し込まれるとともに、そのばね性により、充電用端子に密接させて確実に電極端子２１と充電用端子とを接続することができる。
【００４０】
このように充電アダプター４０が充電用収納部２４に装填された状態で、電極端子２１、充電用端子および図示しない電極を介して、バッテリー１６の充電が行われる。この場合において、本実施形態においては、充電アダプター４０を充電用収納部２４に装填した状態で、バッテリー１６を取り外すことも可能である。すなわち、バッテリー１６を取り外す場合は、操作部４４を操作して、ばね部材４５の付勢力に抗して操作部４４と係合板との係合を解除させることにより、バッテリー１６を取り外すようになっている。ここで、各フック部３０を充電アダプター４０の前後位置に配置するようにしているので、バッテリー１６を取り外す際に、充電アダプター４０に上方への引っ張り力が加わった場合に、その引っ張り力を各フック部３０により受けることができる。そのため、引っ張り力を分散して受けることができ、充電アダプター４０の局部に大きな力が加わってしまうことがない。
【００４１】
また、充電装置２０から充電アダプター４０を取り外す場合は、充電アダプター４０を充電用収納部２４に装填した状態で、解除操作板３３を下方に押動動作させると、解除部材３５が上方に移動して充電アダプター４０の背面を上方に押し上げる。そして、充電アダプター４０が上方に押し上げられると、フック部材２７の下方の傾斜面に押圧力が加わる。これにより、フック部材２７がばねの付勢力に抗して外側に揺動され、フック部材２７とフック用係合部４７との係合が解除されて充電アダプター４０を取り外すことができる。
【００４２】
以上説明したように、本実施形態においては、各フック部３０を充電アダプター４０の前後位置に配置することにより、充電アダプター４０を充電装置２０に装填した状態で、バッテリー１６を取り外す際の引っ張り力をフック部３０により受けることができる。そのため、引っ張り力を分散して受けることができ、充電アダプター４０の局部に大きな力が加わってしまうことがない。その結果、充電アダプター４０を確実に保持することができる。また、充電アダプター４０のガイド受け４８をガイド部３１に沿わせることにより、充電アダプター４０の充電用端子を、電極端子の各端子部３７を上方から押圧するように案内するようにしているので、確実に電極端子と充電用端子とを接続することができる。
【００４３】
なお、前述した実施形態はあくまでも本発明の一態様を示すものであり、本発明の範囲内で任意に変形および応用が可能である。例えば、前記各実施形態では、印刷装置１０の背面に着脱可能に装着されるバッテリー１６に充電する構成を例に挙げて説明したが、本発明はこれに限定されず、バッテリー１６の形状やケース本体１１における配置は任意である。例えば、ケース本体１１に内蔵されるバッテリーを充電する構成としてもよい。また、前記実施形態では印刷装置１０をサーマルプリンターとして説明したが、インクジェット式あるいいは熱転写式のプリンターで構成することも可能である。また、充電装置２０は、１つの印刷装置１０またはバッテリー１６を装着可能な構成に限定されず、複数の印刷装置１０またはバッテリー１６を装着可能な構成としてもよい。さらに、充電装置２０を、他の装置に組み込んだ構成に本発明を適用することも可能であり、その他の細部構成についても任意に変更可能である。
【符号の説明】
【００４４】
１０…印刷装置、１１…ケース本体、１２…印刷物排出口、１３ａ…パワーボタン、１３ｂ…フィードボタン、１４，４７…フック用係合部、１５，４８…ガイド受け、１６…バッテリー、１７…充電用端子、２０…充電装置、２１…電極端子、２４…充電用収納部、２７…フック部材、３０…フック部、３１…ガイド部、３３…解除操作板、３５…解除部材、３７…端子部、４０…充電アダプター、４１…バッテリー収容部、４４…操作部。
【図１】
2016028879.tif 000003
【図２】
2016028879.tif 000004
【図３】
2016028879.tif 000005
【図４】
2016028879.tif 000006
【図５】
2016028879.tif 000007
【図６】
2016028879.tif 000008
【図７】
2016028879.tif 000009
【図８】
2016028879.tif 000010
【図９】
2016028879.tif 000011
【図１０】
2016028879.tif 000012
【図１１】
2016028879.tif 000013